(57)【要約】【目的】  本発明の目的は、居住空間を容易に変化させられるテントを提供する。【構成】  テントＴ１のアウターシート１００は、第１シート１１０ａと、第２シート１２０ａと、マチ部１５０ａと、連結部１６０ａとを有する。第１シート１１０ａの第１斜辺１１１ａとマチ部１５０ａの第２斜辺１５２ａが接続されている。第２シート１２０ａの第２斜辺１２２ａとマチ部１５０ａの第１斜辺１５１ａが接続されている。第２斜辺１２２ａが第１シート１１０ａに沿うようにマチ部１５０ａが折り畳まれた状態で、第１シート１１０ａと第２シート１２０ａが一連なりとなり、且つ連結部１６０ａが第１シート１１０ａと第２シート１２０ａとを連結している。連結部１６０ａの連結が解除され且つマチ部１５０ａが展開された状態で、第１シート１１０ａ、マチ部１５０ａ及び第２シート１２０ａが一連なりとなる。【選択図】      図２Ａ
2016044433.tif 000002
【特許請求の範囲】
【請求項１】
多角錘又は円錐の側面形状を有するアウターシートと、
前記アウターシートを支持する支持部とを備えており、
前記アウターシートは、第１斜辺及び第２斜辺を有する略三角形の第１シートと、
第１斜辺及び第２斜辺を有する略三角形の第２シートと、
第１斜辺及び第２斜辺を有する略三角形のシートであるマチ部と、
連結部とを有しており、
前記第１シートの前記第１斜辺と前記マチ部の前記第２斜辺とが接続され、前記第２シートの前記第２斜辺と前記マチ部の前記第１斜辺とが接続されており、
前記第２シートの前記第２斜辺が前記第１シートに沿うように前記マチ部が折り畳まれた状態で、前記第１シートと前記第２シートとが一連なりとなり、且つ前記連結部が前記第１シートと前記第２シートとを解除可能に連結しており、
前記連結部の連結が解除され且つ前記マチ部が展開された開状態で、前記第１シート、前記マチ部及び前記第２シートが一連なりとなるテント。
【請求項２】
請求項１記載のテントにおいて、
前記第１シートは一対であり、
前記第２シートは一対であり、
前記マチ部は一対であり、
前記連結部は一対であるテント。
【請求項３】
請求項２記載のテントにおいて、
前記アウターシートは、第１斜辺及び第２斜辺を有する少なくとも一つの略三角形の第３シートを更に有しており、
前記第３シートの前記第１斜辺は前記第２シートのうちの一方の第２シートの前記第１斜辺に接続されており、
前記第３シートの前記第２斜辺は前記第２シートのうちの他方の第２シートの前記第１斜辺に接続されており、
前記マチ部が展開されると共に、前記第３シートが上方に移動するテント。
【請求項４】
請求項１〜３の何れかに記載のテントにおいて、
前記アウターシートは、第１斜辺及び第２斜辺を有する少なくとも一つの第４シートを更に有しており、
前記第４シートの前記第１斜辺は前記第１シートのうちの一方の第１シートの前記第２斜辺に接続されており、
前記第４シートの前記第２斜辺は前記第１シートのうちの他方の第１シートの前記第２斜辺に接続されているテント。
【請求項５】
請求項３記載のテントにおいて、
前記アウターシートは、前記第２シート及び前記第３シートの少なくとも一方に設けられた第１係合部を更に有しており、
前記第１係合部に、前記開状態で、前記第２シート及び前記第３シートの少なくとも一方を支持可能な支持ポールが係合可能であるテント。
【請求項６】
請求項５記載のテントにおいて、
前記開状態で、前記第２シート及び前記第３シートの少なくとも一方を支持する支持ポールを更に備えているテント。
【請求項７】
請求項５〜６の何れかに記載のテントにおいて、
前記支持ポールは高さ調整可能であるテント。
【請求項８】
請求項１〜７の何れかに記載のテントにおいて、
前記第２シート及び前記マチ部の少なくとも一方から延びたロープを更に備えており、
前記開状態で、前記ロープの自由端が地面に固定可能であるテント。
【請求項９】
アウターシートと、
前記アウターシートを支持する支持部とを備えており、
前記アウターシートは、第１端及び前記第１端の反対側の第２端を有する略矩形状、台形状又は円弧状の第１シートと、
第１端及び当該第１端の反対側の第２端を有する略矩形状、台形状又は円弧状の第２シートと、
第１端及び当該第１端の反対側の第２端を有する略矩形状、台形状又は円弧状のシートであるマチ部と、
連結部とを有しており、
前記第１シートの前記第１端と前記マチ部の前記第２端とが接続され、前記第２シートの前記第２端と前記マチ部の前記第１端とが接続されており、
前記第２シートが前記第１シートに沿うように前記マチ部が折り畳まれた状態で、前記第１シート及び前記第２シートが一連なりとなり、且つ前記連結部が前記第１シートと前記第２シートとを解除可能に連結しており、
前記連結部の連結が解除され且つ前記マチ部が展開された開状態で、前記第１シート、前記マチ部及び前記第２シートが一連なりとなるテント。
【請求項１０】
請求項９記載のテントにおいて、
前記第１シートは一対であり、
前記第２シートは一対であり、
前記マチ部は一対であり、
前記連結部は一対であるテント。
【請求項１１】
請求項１０記載のテントにおいて、
前記アウターシートは、第１端及び当該第１端の反対側の第２端を有する少なくとも一つの第３シートを更に有しており、
前記マチ部は、前記第２シートの前記第２端が前記第１シートに沿うように折り畳まれるようになっており、
前記第３シートの前記第１端は前記第２シートのうちの一方の第２シートの前記第１端に接続されており、
前記第３シートの前記第２端は前記第２シートのうちの他方の第２シートの前記第１端に接続されており、
前記マチ部が展開されると共に、前記第３シートが前方に移動するテント。
【請求項１２】
請求項９〜１１の何れかに記載のテントにおいて、
前記アウターシートは、第１端及び当該第１端の反対側の第２端を有する少なくとも一つの第４シートを更に有しており、
前記第４シートの前記第１端は前記第１シートのうちの一方の第１シートの前記第２端に接続されており、
前記第４シートの前記第２端は前記第１シートのうちの他方の第１シートの前記第２端に接続されているテント。
【請求項１３】
請求項１〜１２の何れか記載のテントにおいて、
前記連結部は、前記第１シートと前記第２シートとに設けられた線ファスナ及び面ファスナの少なくとも一方であるテント。
【請求項１４】
請求項１〜１３の何れか記載のテントにおいて、
インナーシートを更に備えており、
前記アウターシートは、前記インナーシートに被せられており、
前記支持部は、前記インナーシート及び前記アウターシートを支持しているテント。
【発明の詳細な説明】
【技術分野】
【０００１】
本発明は、テントに関する。
【背景技術】
【０００２】
従来のテントが下記特許文献に記載されている。このテントは、シートと、支柱と、複数の支持ロープと、複数のアンカーとを備えている。シートは多角錘の側面形状を有している。支柱はシート内に配置され、当該シートの頂部と地面との間に介在している。支持ロープは、シートの複数の斜辺の下端から各々延びている。この支持ロープの先端がアンカーに支持されている。
【先行技術文献】
【特許文献】
【０００３】
【特許文献１】特開平０６-１２３１７４号公報
【発明の概要】
【発明が解決しようとする課題】
【０００４】
この種のテントは、使用時の人数や天候等によって当該テント内及び／又は当該テント近傍の居住空間を変化させることが要望されている。
【０００５】
本発明は、上記事情に鑑みて創案されたものであって、その目的とするところは、居住空間を容易に変化させることができるテントを提供することにある。
【課題を解決するための手段】
【０００６】
上記課題を解決するために、本発明の第１テントは、多角錘又は円錐の側面形状を有するアウターシートと、アウターシートを支持する支持部とを備えている。アウターシートは、略三角形の第１シートと、略三角形の第２シートと、略三角形のシートであるマチ部と、連結部とを有している。第１シートは、第１斜辺及び第２斜辺を有している。第２シートは、第１斜辺及び第２斜辺を有している。マチ部は、第１斜辺及び第２斜辺を有している。第１シートの第１斜辺とマチ部の第２斜辺とが接続されている。第２シートの第２斜辺とマチ部の第１斜辺とが接続されている。第２シートの第２斜辺が第１シートに沿うようにマチ部が折り畳まれた状態で、第１シートと第２シートとが一連なりとなり、且つ連結部が第１シートと第２シートとを解除可能に連結している。連結部の連結が解除され且つマチ部が展開された開状態で、第１シート、マチ部及び第２シートが一連なりとなる。
【０００７】
このような態様の第１テントは、居住空間を容易に変化させることができる。具体的には以下の通りである。連結部の連結が解除され、マチ部が展開されることによって、マチ部及び第２シートを日よけ及び／又は風除けとして使用できる。このマチ部及び第２シートによって日よけ及び／又は風除けされる空間がテントの居住空間として使用可能であるので、当該テントの居住空間を拡張することができる。第２シートの第２斜辺が第１シートに沿うようにマチ部が折り畳まれ、連結部で第１、第２シートを連結させるだけで、当該テントの居住空間が縮小する。
【０００８】
第１シートは一対とすることが可能である。第２シートは一対とすることが可能である。マチ部は一対とすることが可能である。連結部は一対とすることが可能である。
【０００９】
このような態様の第１テントは、居住空間が拡大する。開状態で、一対のマチ部及び第２シートに囲われる空間が居住空間として使用できるからである。
【００１０】
アウターシートは、少なくとも一つの略三角形の第３シートを更に有する構成とすることが可能である。第３シートは、第１斜辺及び第２斜辺を有する構成とすることが可能である。第３シートの第１斜辺が第２シートのうちの一方の第２シートの第１斜辺に接続され、第３シートの第２斜辺が第２シートのうちの他方の第２シートの第１斜辺に接続された構成とすることが可能である。前記マチ部が展開されると共に、前記第３シートが上方に移動可能である。
【００１１】
このような態様の第１テントは、居住空間が拡大する。開状態で、一対のマチ部、第２シート及び第３シートに囲われる空間が居住空間として使用できるからである。開状態で第３シートを庇として使用可能になるので、マチ部及び第２シートと共に日よけ、風除け及び／又は雨除けを好適に行うことができる。
【００１２】
アウターシートは、少なくとも一つの第４シートを更に有する構成とすることが可能である。第４シートは、第１斜辺及び第２斜辺を有する構成とすることが可能である。第４シートの第１斜辺は第１シートのうちの一方の第１シートの第２斜辺に接続された構成とすることが可能である。第４シートの第２斜辺は第１シートのうちの他方の第１シートの第２斜辺に接続された構成とすることが可能である。
【００１３】
アウターシートは、第２シート及び第３シートの少なくとも一方に設けられた第１係合部を更に有した構成とすることが可能である。第１係合部に、開状態で、第２シート及び第３シートの少なくとも一方を支持可能な支持ポールが係合可能な構成とすることが可能である。
【００１４】
このような態様の第１、第２テントによる場合、第１係合部が支持ポールに係合されるだけで、開状態で、第２シート及び第３シートの少なくとも一方が支持ポールに支持される。
【００１５】
上記第１、第２テントは、開状態で、第２シート及び第３シートの少なくとも一方を支持する支持ポールを更に備えた構成とすることが可能である。
【００１６】
支持ポールは高さ調整可能とすることが可能である。このような態様の第１、第２テントによる場合、支持ポールの高さを変えることで、第２シート及び第３シートの少なくとも一方の高さ位置を変えることができる。
【００１７】
上記した何れかの態様の第１、第２テントは、第２シート及びマチ部の少なくとも一方から延びたロープを更に備えた構成とすることが可能である。開状態で、ロープの自由端が地面に固定可能である構成とすることが可能である。
【００１８】
このような態様の第１、第２テントによる場合、ロープの自由端を地面に固定するだけで、第２シートが日よけ及び／又は風除けとなった状態が維持可能となる。
【００１９】
本発明の第２テントは、アウターシートと、アウターシートを支持する支持部とを備えている。アウターシートは、略矩形状、台形状又は円弧状の第１シートと、略矩形状、台形状又は円弧状の第２シートと、略矩形状、台形状又は円弧状のシートであるマチ部と、連結部とを有している。第１シートは第１端及び第１端の反対側の第２端を有している。第２シートは、第１端及び当該第１端の反対側の第２端を有している。マチ部は、第１端及び当該第１端の反対側の第２端を有している。第１シートの第１端とマチ部の第２端とが接続され、第２シートの第２端とマチ部の第１端とが接続されている。第２シートが第１シートに沿うようにマチ部が折り畳まれた状態で、第１シート及び第２シートが一連なりとなり、且つ連結部が第１シートと第２シートとを解除可能に連結している。連結部の連結が解除され且つマチ部が展開された開状態で、第１シート、マチ部及び第２シートが一連なりとなる。
【００２０】
このような態様の第２テントは、居住空間を容易に変化させることができる。具体的には以下の通りである。連結部の連結が解除され、マチ部が展開されることによって、マチ部及び第２シートを日よけ及び／又は風除けとして使用できる。このマチ部及び第２シートによって日よけ及び／又は風除けされる空間がテントの居住空間として使用可能であるので、当該テントの居住空間を拡張することができる。第２シートの第２端が第１シートに沿うようにマチ部が折り畳まれ、連結部で第１、第２シートを連結させるだけで、当該テントの居住空間が縮小する。
【００２１】
第１シートは一対とすることが可能である。第２シートは一対とすることが可能である。マチ部は一対とすることが可能である。連結部は一対とすることが可能である。
【００２２】
このような態様の第２テントは、居住空間が拡大する。開状態で、一対のマチ部及び第２シートに囲われる空間が居住空間として使用できるからである。
【００２３】
マチ部は、第２シートの第２端が第１シートに沿うように折り畳まれる構成とすることが可能である。アウターシートは、少なくとも一つの第３シートを更に有する構成とすることが可能である。第３シートは、第１端及び当該第１端の反対側の第２端を有する構成とすることが可能である。第３シートの第１端が第２シートのうちの一方の第２シートの第１端に接続され、第３シートの第２端が第２シートのうちの他方の第２シートの第１端に接続された構成とすることが可能である。前記マチ部が展開されると共に、前記第３シートが前方に移動可能である。
【００２４】
このような態様の第２テントは、居住空間が拡大する。開状態で、一対のマチ部、第２シート及び第３シートに囲われる空間が居住空間として使用できるからである。
【００２５】
アウターシートは、少なくとも一つの第４シートを更に有する構成とすることが可能である。第４シートは、第１端及び当該第１端の反対側の第２端を有する構成とすることが可能である。第４シートの第１端は第１シートのうちの一方の第１シートの第２端に接続された構成とすることが可能である。第４シートの第２端は第１シートのうちの他方の第１シートの第２端に接続された構成とすることが可能である。
【００２６】
連結部は、第１シートと第２シートとに設けられた線ファスナ及び面ファスナの少なくとも一方とすることが可能である。このような態様の第１、第２テントによる場合、連結部の連結及び解除が簡単になる。
【００２７】
上記した何れかの態様の第１、第２テントは、インナーシートを更に備えた構成とすることが可能である。アウターシートは、インナーシートに被せられた構成とすることが可能である。支持部は、インナーシート及びアウターシートを支持した構成とすることが可能である。
【００２８】
このような態様の第１、第２テントによる場合、第１、第２テントの多様性を向上させることができる。その理由は以下の通りである。開状態で、インナーシートによって第１、第２テントの内空間が区画され、アウターシートのマチ部及び第２シートによって第１、第２テントの近傍空間が区画される。すなわち、第１、第２テントの居住空間として内空間及び近傍空間を使い分けることが可能になる。
【図面の簡単な説明】
【００２９】
【図１Ａ】本発明の実施例１に係る初期状態のテントの概略的平面図である。
【図１Ｂ】前記初期状態のテントの平面及び右側面から見た概略的斜視図である。
【図１Ｃ】前記初期状態のテントの平面及び左側面から見た概略的斜視図である。
【図１Ｄ】前記初期状態のテントの内部構造を示す正面及び平面から見た概略的斜視図である。
【図２Ａ】開状態の前記テントの平面及び右側面から見た概略的斜視図である。
【図２Ｂ】前記開状態のテントの平面及び左側面から見た概略的斜視図である。
【図３Ａ】本発明の実施例２に係る初期状態のテントの正面、平面及び右側面から表した概略的斜視図である。
【図３Ｂ】前記初期状態のテントの正面、平面及び左側面から表した概略的斜視図である。
【図４Ａ】開状態の前記テントの正面、平面及び右側面から表した概略的斜視図である。
【図４Ｂ】前記開状態のテントの正面、平面及び左側面から表した概略的斜視図である。
【図５】実施例２のテントの設計変更例を示す説明図である。
【発明を実施するための形態】
【００３０】
以下、本発明の実施例１及び２について説明する。
【実施例１】
【００３１】
以下、本発明の実施例１に係るテントＴ１について図１Ａ〜図２Ｂを参照しつつ説明する。テントＴ１は、アウターシート１００と、インナーシート２００と、支持部３００と、複数の支持ポール４００と、図示しない複数のペグとを備えている。以下、テントＴ１の各構成要素について詳しく説明する。
【００３２】
インナーシート２００は、六角錐の底面形状及び側面形状を有する防水シートである。インナーシート２００は、底面シート２１０と、側面シート２２０と、複数の係合部２３０を有している。底面シート２１０は略六角形の防水シートである。底面シート２１０は６つの辺を有している。
【００３３】
側面シート２２０は六角錐の側面形状を有する防水シートである。側面シート２２０の下端の形状が底面シート２１０の外形に対応している。側面シート２２０の下端が底面シート２１０の辺に接続されている。側面シート２２０は、部分的にメッシュ部を有している。側面シート２２０は、メッシュを有さない構成とすることも可能である。側面シート２２０の正面には、出入口が設けられている。
【００３４】
係合部２３０は、側面シート２２０の下側の複数の角から各々放射状に延びたリング状のロープや紐である。この係合部２３０内にペグが挿入され、当該ペグによって係合部２３０が地面に固定されている。
【００３５】
支持部３００は、インナーシート２００内に配置され、インナーシート２００の頂部を支持するポールである。支持部３００はインナーシート２００の頂部と底面シート２１０との間に介在している。このようにインナーシート２００の展開状態が支持部３００及びペグによって維持されている。なお、支持部３００は、インナーシート２００内に配置され、インナーシート２００を展開状態で支持するテントフレームであっても良い。
【００３６】
アウターシート１００は、インナーシート２００よりも若干大きい六角錐の側面形状を有する防水シートである。アウターシート１００は、インナーシート２００に被せられている。アウターシート１００の頂部は、支持部３００に支持されている。アウターシート１００は、一対の第１シート１１０ａ、１１０ｂ（これが特許請求の範囲の一方、他方の第１シートに相当する。）と、一対の第２シート１２０ａ、１２０ｂ（これが特許請求の範囲の一方、他方の第２シートに相当する。）と、第３シート１３０と、第４シート１４０と、一対のマチ部１５０ａ、１５０ｂと、一対の連結部１６０ａ、１６０ｂと、複数の第１係合部１７０と、複数の第２係合部１８０とを有している。なお、図１Ａでは、第２係合部１８０は図示省略されている。
【００３７】
第１シート１１０ａ、１１０ｂは略二等辺三角形の防水シートである。第１シート１１０ａ、１１０ｂは、底辺と、第１斜辺１１１ａ、１１１ｂと、第２斜辺１１２ａ、１１２ｂとを有している。第２シート１２０ａ、１２０ｂは略二等辺三角形の防水シートである。第２シート１２０ａ、１２０ｂは、底辺と、第１斜辺１２１ａ、１２１ｂと、第２斜辺１２２ａ、１２２ｂとを有している。マチ部１５０ａ、１５０ｂは略二等辺三角形の防水シートである。マチ部１５０ａ、１５０ｂは、底辺と、第１斜辺１５１ａ、１５１ｂと、第２斜辺１５２ａ、１５２ｂとを有している。第３シート１３０は略二等辺三角形の防水シートである。第３シート１３０は、底辺と、第１斜辺１３１と、第２斜辺１３２とを有している。第４シート１４０は略二等辺三角形の防水シートである。第４シート１４０は、底辺と、第１斜辺１４１と、第２斜辺１４２とを有している。
【００３８】
図２Ａに最も良く示されているように、第１シート１１０ａの第１斜辺１１１ａとマチ部１５０ａの第２斜辺１５２ａとが接続されている。マチ部１５０ａの第１斜辺１５１ａと第２シート１２０ａの第２斜辺１２２ａとが接続されている。第２シート１２０ａの第１斜辺１２１ａと第３シート１３０の第１斜辺１３１とが接続されている。図１Ａに最も良く示されているように、第１シート１１０ａの第２斜辺１１２ａと第４シート１４０の第１斜辺１４１とが接続されている。
【００３９】
図２Ｂに最も良く示されているように、第１シート１１０ｂの第１斜辺１１１ｂとマチ部１５０ｂの第２斜辺１５２ｂとが接続されている。マチ部１５０ｂの第１斜辺１５１ｂと第２シート１２０ｂの第２斜辺１２２ｂとが接続されている。第２シート１２０ｂの第１斜辺１２１ｂと第３シート１３０の第２斜辺１３２とが接続されている。図１Ａに最も良く示されているように、第１シート１１０ｂの第２斜辺１１２ｂと第４シート１４０の第２斜辺１４２とが接続されている。
【００４０】
マチ部１５０ａは、図１Ｂに最も良く示されているように、第２シート１２０ａの第２斜辺１２２ａが第１シート１１０ａの第１斜辺１１１ａに沿うように、略半分（直角三角形状）に谷折り可能である。マチ部１５０ｂは、図１Ｃに最も良く示されているように、第２シート１２０ｂの第２斜辺１２２ｂが第１シート１１０ｂの第１斜辺１１１ｂに沿うように、略半分（直角三角形状）に谷折り可能である。このようにマチ部１５０ａ、１５０ｂが折り畳まれた状態で、第１シート１１０ａと第２シート１２０ａとが一連なりとなり且つ第１シート１１０ｂと第２シート１２０ｂとが一連なりとなる。第２シート１２０ａ、１２０ｂ及び第３シート１３０がインナーシート２００の側面シート２２０に沿う。マチ部１５０ａ、１５０ｂは、第２シート１２０ａ、１２０ｂとインナーシート２００との間に折り畳まれたで配置される。このような状態が、第２シート１２０ａ、１２０ｂ、第３シート１３０及びマチ部１５０ａ、１５０ｂの初期状態である。なお、第３シート１３０又は第４シート１４０には、インナーシート２００の出入口と通じる出入口が設けられていても良い。
【００４１】
マチ部１５０ａは、図２Ａに示されるように、折り畳み状態から展開可能である。マチ部１５０ｂは、図２Ｂに示されるように、折り畳み状態から展開可能である。このようにマチ部１５０ａ、１５０ｂが展開された状態（二等辺三角形状の状態）で、第１シート１１０ａとマチ部１５０ａと第２シート１２０ａとが一連なりとなり且つ第１シート１１０ｂとマチ部１５０ｂと第２シート１２０ｂとが一連なりとなる。第２シート１２０ａ、１２０ｂ及びマチ部１５０ａ、１５０ｂは、インナーシート２００から離れる。第３シート１３０が上方へ移動し、地面に対して略平行に配置される。このような状態が、第２シート１２０ａ、１２０ｂ、第３シート１３０及びマチ部１５０ａ、１５０ｂの開状態である。
【００４２】
連結部１６０ａは上記初期状態で第１シート１１０ａと第２シート１２０ａとを解除可能に連結する線ファスナである。連結部１６０ａは、第１歯列１６１ａと、第２歯列１６２ａと、スライダー１６３ａとを有している。第１歯列１６１ａは、第２シート１２０ａの第２斜辺１２２ａに設けられている。第２歯列１６２ａは、第１シート１１０ａの第１斜辺１１１ａに設けられている。上記初期状態で、第１歯列１６１ａと第２歯列１６２ａとが略平行になる。スライダー１６３ａは第２歯列１６２ａにスライド自在に設けられている。第１歯列１６１ａと第２歯列１６２ａとが略平行な状態で、スライダー１６３ａ内に第１歯列１６１ａが挿入される。この状態で、スライダー１６３ａをスライドさせることによって、当該連結部１６０ａが閉開する（第１シート１１０ａの第１斜辺１１１ａと第２シート１２０ａの第２斜辺１２２ａとを連結したり、当該連結を解除したりする。）。
【００４３】
連結部１６０ｂは上記初期状態で第１シート１１０ｂと第２シート１２０ｂとを解除可能に連結する線ファスナである。連結部１６０ｂは、第１歯列１６１ｂと、第２歯列１６２ｂと、スライダー１６３ｂとを有している。第１歯列１６１ｂは、第２シート１２０ｂの第２斜辺１２２ｂに設けられている。第２歯列１６２ｂは、第１シート１１０ｂの第１斜辺１１１ｂに設けられている。上記初期状態で、第１歯列１６１ｂと第２歯列１６２ｂとが略平行になる。スライダー１６３ｂは第２歯列１６２ｂにスライド自在に設けられている。第１歯列１６１ｂと第２歯列１６２ｂとが略平行な状態で、スライダー１６３ｂ内に第１歯列１６１ｂが挿入される。この状態で、スライダー１６３ｂをスライドさせることによって、当該連結部１６０ｂが閉開する（第１シート１１０ｂの第１斜辺１１１ｂと第２シート１２０ｂの第２斜辺１２２ｂとを連結したり、当該連結を解除したりする。）。
【００４４】
第１係合部１７０は、アウターシート１００の下側の複数の角から各々放射状に延びたリング状のロープや紐である。上記初期状態で、第１係合部１７０内にペグが挿入され、当該ペグによって第１係合部１７０が地面に固定されている。第２係合部１８０は、アウターシート１００の第１〜第４シートの斜辺の中腹から各々地面へ延びたロープや紐である。この第２係合部１８０にペグが挿入され、当該ペグによって第２係合部１８０が地面に固定されている。このようにアウターシート１００の展開状態が支持部３００及びペグによって維持されている。
【００４５】
第１係合部１７０のうち、第３シート１３０の第１、第２斜辺１３１、１３２の下端に位置する第１係合部１７０（この第１係合部１７０が特許請求の範囲の第３シートの第１係合部に相当する。）は、上記開状態で、ペグに代えて、支持ポール４００が挿入される。これにより、第３シート１３０が地面に対して略平行な状態が維持される。第１係合部１７０のうち、第２シート１２０ａの第２斜辺１２２ａの下端に位置する第１係合部１７０（この第１係合部１７０が特許請求の範囲の第２シートの第１係合部に相当する。）及び第２シート１２０ｂの第２斜辺１２２ｂの下端に位置する第１係合部１７０（この第１係合部１７０が特許請求の範囲の第２シートの第１係合部に相当する。）は、上記開状態で、ペグに代えて、ロープの固定端が係合する。このロープの自由端がペグで地面に固定される。これにより、第１シート１１０ａとマチ部１５０ａと第２シート１２０ａとが一連なりとなった状態、及び第１シート１１０ｂとマチ部１５０ｂと第２シート１２０ｂとが一連なりとなった状態が維持される。
【００４６】
支持ポール４００は高さ調整可能な構成とすることが可能である。例えば、支持ポール４００は、複数のポールが同心円状に配置され、高さ方向に伸縮する構成とすることが可能である。又は、支持ポール４００は、複数のポールを有する構成とすることが可能である。複数のポールの高さ方向で隣り合う二つのポールの端部同士が取り外し可能に連結される構成とすることが可能である。この場合、複数のポールのうちの一又は複数のポールを取り外すことで、支持ポール４００の高さ調整が可能となる。
【００４７】
以下、上記した構成のテントＴ１の組み立て手順について詳しく説明する。まず、インナーシート２００及び支持部３００を用意する。その後、インナーシート２００内に支持部３００を挿入し、当該支持部３００をインナーシート２００の頂部と底面シート２１０との間に介在させる。その後、インナーシート２００の係合部２３０をペグで各々地面に固定させる。このようにしてインナーシート２００が展開状態で立てられる。
【００４８】
その後、アウターシート１００を用意する。このアウターシート１００は、連結部１６０ａによって、第１シート１１０ａの第１斜辺１１１ａと第２シート１２０ａの第２斜辺１２２ａとが連結され、且つ連結部１６０ｂによって、第１シート１１０ｂの第１斜辺１１１ｂと第２シート１２０ｂの第２斜辺１２２ｂとが連結されている。このアウターシート１００をインナーシート２００に被せる。このとき、アウターシート１００の頂部が支持部３００に支持される。その後、アウターシート１００の第１係合部１７０をペグで各々地面に固定させると共に第２係合部１８０をペグで各々地面に固定させる。このようにしてアウターシート１００が展開状態で立てられる。すなわち、テントＴ１が立てられる。
【００４９】
以下、上記の通りに立てられたテントＴ１の使用方法について詳しく説明する。第２シート１２０ａの第１係合部１７０及び第２シート１２０ｂの第１係合部１７０からペグを取り外す。同様に、第３シート１３０の第１係合部１７０からペグを取り外す。その一方で、連結部１６０ａのスライダー１６３ａを移動させて連結部１６０ａを開く。これにより、連結部１６０ａによる第１シート１１０ａの第１斜辺１１１ａと第２シート１２０ａの第２斜辺１２２ａとの連結が解除される。同様に、連結部１６０ｂのスライダー１６３ｂを移動させて連結部１６０ｂを開く。これにより、連結部１６０ｂによる第１シート１１０ｂの第１斜辺１１１ｂと第２シート１２０ｂの第２斜辺１２２ｂとの連結が解除される。その後、第３シート１３０を引っ張って上方に移動させる。これに伴って、第１シート１１０ａの第１斜辺１１１ａと第２シート１２０ａの第２斜辺１２２ａとが離反し、マチ部１５０ａが展開されると共に、第１シート１１０ｂの第１斜辺１１１ｂと第２シート１２０ｂの第２斜辺１２２ｂとが離反し、マチ部１５０ｂが展開される。
【００５０】
第３シート１３０が地面に対して略平行になると、第１シート１１０ａとマチ部１５０ａと第２シート１２０ａとが扇状に一連なりとなると共に、第１シート１１０ｂとマチ部１５０ｂと第２シート１２０ｂとが扇状に一連なりとなる。この状態で、第３シート１３０の第１係合部１７０に、支持ポール４００を各々係合させ、当該支持ポール４００を地面に立てる。これにより、第３シート１３０が地面に対して略平行な状態で支持される。その後、第２シート１２０ａの第１係合部１７０及び第２シート１２０ｂの第１係合部１７０にロープ１９０の固定端を係合させ、当該ロープ１９０の自由端をペグで地面に固定する。このようにして第３シート１３０、第１シート１１０ａ、マチ部１５０ａ、第２シート１２０ａ、第１シート１１０ｂ、マチ部１５０ｂ及び第２シート１２０ｂがインナーシート２００の前で、庇として機能する。
【００５１】
支持ポール４００が高さ調整可能である場合、支持ポール４００の高さを調整することによって、第３シート１３０が地面に対して略平行な状態から傾斜した状態に変化させることができる。
【００５２】
以下、テントＴ１の庇を収納する方法について詳しく説明する。まず、第２シート１２０ａの第１係合部１７０及び第２シート１２０ｂの第１係合部１７０に係合されたロープ１９０の自由端からペグを取り外す。その後、支持ポール４００を第３シート１３０の第１係合部１７０から各々取り外す。その後、マチ部１５０ａを略半分に折り畳みつつ、第２シート１２０ａの第２斜辺１２２ａを第１シート１１０ａの第１斜辺１１１ａに略平行に沿わせる。すると、連結部１６０ａの第１歯列１６１ａと第２歯列１６２ａとが略平行になる。この状態で、スライダー１６３ａ内に第１歯列１６１ａを挿入する。その後、スライダー１６３ａを移動させて連結部１６０ａを閉じる。これにより、連結部１６０ａが第２シート１２０ａの第２斜辺１２２ａと第１シート１１０ａの第１斜辺１１１ａとを連結する。これにより、第１シート１１０ａと第２シート１２０ａとが一連なりとなる。
【００５３】
同様に、マチ部１５０ｂを略半分に折り畳みつつ、第２シート１２０ｂの第２斜辺１２２ｂを第１シート１１０ｂの第１斜辺１１１ｂに略平行に沿わせる。すると、連結部１６０ｂの第１歯列１６１ｂと第２歯列１６２ｂとが略平行になる。この状態で、スライダー１６３ｂ内に第１歯列１６１ｂを挿入する。その後、スライダー１６３ｂを移動させて連結部１６０ｂを閉じる。これにより、連結部１６０ｂが第２シート１２０ｂの第２斜辺１２２ｂと第１シート１１０ｂの第１斜辺１１１ｂとを連結する。これにより、第１シート１１０ｂと第２シート１２０ｂとが一連なりとなる。マチ部１５０ａ、１５０ｂが折り畳まれると、第２シート１２０ａ、１２０ｂ及び第３シート１３０がインナーシート２００の側面シート２２０に沿う。
【００５４】
以上のようなテントＴ１は、以下の技術的特徴及び効果を有する。第１にテントＴ１の居住空間を容易に変化させる（居住空間を容易に拡張及び縮小させる）ことができる。第１シート１１０ａと第２シート１２０ａとの連結及び第１シート１１０ｂと第２シート１２０ｂとの連結を解除し、マチ部１５０ａ、１５０ｂを展開させることによって、第３シート１３０、第１シート１１０ａ、マチ部１５０ａ、第２シート１２０ａ、第１シート１１０ｂ、マチ部１５０ｂ及び第２シート１２０ｂがインナーシート２００の前で、庇となる。当該庇によって日よけ、風除け及び／又は雨除けを行うことができるので、日よけ、風除け及び／又は雨除けされる空間（近傍空間）を、バーベキュー等を行うテントＴ１の居住空間として使用することができる。このようにテントＴ１の居住空間を拡張することができる。また、マチ部１５０ａを折り畳み、第１シート１１０ａと第２シート１２０ａとを連結すると共に、マチ部１５０ｂを折り畳み、第１シート１１０ｂと第２シート１２０ｂとを連結することによって、第２シート１２０ａ、１２０ｂ及び第３シート１３０がインナーシート２００の側面シート２２０に沿う。このようにテントＴ１の居住空間が縮小する。
【００５５】
第２に、テントＴ１の居住空間は、テントＴ１の内空間及びテントＴ１の近傍空間を使い分けることが可能になる。第１シート１１０ａ、マチ部１５０ａ、第２シート１２０ａ、第１シート１１０ｂ、マチ部１５０ｂ及び第２シート１２０ｂがインナーシート２００の前で、庇となったときに、インナーシート２００内をテントＴ１の内空間として使用でき、庇によって日よけ、風除け及び／又は雨除けされる空間がテントＴ１の近傍空間として使用できる。
【実施例２】
【００５６】
以下、本発明の実施例２に係るテントＴ２について図３Ａ〜図４Ｂを参照しつつ説明する。テントＴ２は、アウターシート５００と、図示しない支持部とを備えている。以下、テントＴ２の各構成要素について詳しく説明する。
【００５７】
アウターシート５００は、テントシート５１０と、一対の第２シート５２０ａ、５２０ｂと、一対のマチ部５３０ａ、５３０ｂと、一対の連結部５４０ａ、５４０ｂと、複数の固定部５５０とを有している。
【００５８】
テントシート５１０は、三角柱の底面、天面及び側面形状を有する防水シートである。テントシート５１０は、底面シート５１１と、一対の側面シート５１２ａ、５１２ｂ（特許請求の範囲のアウターシートの第１シートに相当）と、前面シート５１３と、図示しない後面シートとを有している。底面シート５１１は矩形状の防水シートである。側面シート５１２ａ、５１２ｂは矩形状の防水シートである。側面シート５１２ａの端手方向の第１端は、底面シート５１１の端手方向の第１端に接続されている。側面シート５１２ｂの端手方向の第１端は、底面シート５１１の端手方向の第２端に接続されている。側面シート５１２ａ、５１２ｂの端手方向の第２端同士が接続されている。前面シート５１３及び後面シートは、二等辺三角形状の防水シートであって、底辺及び二つの斜辺を有している。前面シート５１３の底辺は、底面シート５１１の長手方向の第１端に接続されている。後面シートの底辺は、底面シート５１１の長手方向の第２端に接続されている。前面シート５１３の斜辺は、側面シート５１２ａ、５１２ｂの長手方向の第１端に各々接続されている。後面シートの斜辺は、側面シート５１２ａ、５１２ｂの長手方向の第２端に各々接続されている。前面シート５１３には出入口が設けられている。
【００５９】
支持部は、三角柱状に展開されたテントシート５１０を支持し且つテントシート５１０の展開状態を維持する周知のテントフレームである。支持部は、実施例１のようなポールであっても良い。テントシート５１０を支持するためには、複数の支持部（ポール）が必要となる。
【００６０】
マチ部５３０ａは矩形状の防水シートである。マチ部５３０ａは、第１端５３１ａと、第１端５３１ａの反対側の第２端５３２ａとを有している。マチ部５３０ａの第２端５３２ａが側面シート５１２ａの長手方向の第１端（第１シートの第１端）に接続されている。
【００６１】
第２シート５２０ａは矩形状の防水シートである。第２シート５２０ａは、第１端５２１ａと、第１端５２１ａの反対側の第２端５２２ａとを有している。第２シート５２０ａの第２端５２２ａがマチ部５３０ａの第１端５３１ａに接続されている。
【００６２】
マチ部５３０ｂは矩形状の防水シートである。マチ部５３０ｂは、第１端５３１ｂと、第１端５３１ｂの反対側の第２端５３２ｂとを有している。マチ部５３０ｂの第２端５３２ｂが側面シート５１２ｂの長手方向の第１端（第１シートの第１端）に接続されている。
【００６３】
第２シート５２０ｂは矩形状の防水シートである。第２シート５２０ｂは、第１端５２１ｂと、第１端５２１ｂの反対側の第２端５２２ｂとを有している。第２シート５２０ｂの第２端５２２ｂがマチ部５３０ｂの第１端５３１ｂに接続されている。
【００６４】
マチ部５３０ａは、図３Ａに示されるように、第２シート５２０ａの第１端５２１ａが側面シート５１２ａの外面に沿うように略半分に折り畳み可能である。マチ部５３０ｂは、図３Ｂに示されるように、第２シート５２０ｂの第１端５２１ｂが側面シート５１２ｂの外面に沿うように略半分に折り畳み可能である。このようにマチ部５３０ａ、５３０ｂが折り畳まれた状態で、第２シート５２０ａと側面シート５１２ａとが一連なりとなり且つ第２シート５２０ｂと側面シート５１２ｂとが一連なりとなる。換言すると、第２シート５２０ａが側面シート５１２ａに沿い、マチ部５３０ａが第２シート５２０ａと側面シート５１２ａとの間に折り畳まれた状態で配置される。第２シート５２０ｂが側面シート５１２ｂに沿い、マチ部５３０ｂが第２シート５２０ｂと側面シート５１２ｂとの間に折り畳まれた状態で配置される。このような状態が、第２シート５２０ａ、５２０ｂ及びマチ部５３０ａ、５３０ｂの初期状態となる。この初期状態で、第２シート５２０ａ、５２０ｂの第２端５２２ａ、５２２ｂは、図示しない面ファスナ等の固定手段によって、前面シート５１３に固定されていると良い。
【００６５】
マチ部５３０ａは、図４Ａに示されるように、折り畳み状態から展開可能である。マチ部５３０ｂは、図４Ｂに示されるように、折り畳み状態から展開可能である。このようにマチ部５３０ａ、５３０ｂが展開された状態で、側面シート５１２ａとマチ部５３０ａと第２シート５２０ａとが一連なりとなり且つ側面シート５１２ｂとマチ部５３０ｂと第２シート５２０ｂとが一連なりとなる。このような状態が、第２シート５２０ａ、５２０ｂ及びマチ部５３０ａ、５３０ｂの開状態である。
【００６６】
以下の支持機構は任意に取捨選択される。上記開状態で、第２シート５２０ａ及びマチ部５３０ａの少なくとも一方がポール（支持機構）で支持される構成とすることが可能である。第２シート５２０ｂ及びマチ部５３０ｂの少なくとも一方がポール（支持機構）で支持される構成とすることが可能である。第２シート５２０ａ及びマチ部５３０ａの少なくとも一方から延びた第１係合部（支持機構）が地面にペグで固定される構成とすることも可能である。第２シート５２０ｂ及びマチ部５３０ｂの少なくとも一方延びた第１係合部（支持機構）が地面にペグで固定される構成とすることも可能である。また、第２シート５２０ａ及びマチ部５３０ａの上端と、第２シート５２０ｂ及びマチ部５３０ｂの上端とを固定部５５０で固定させる構成とすることも可能である。
【００６７】
連結部５４０ａは上記初期状態で側面シート５１２ａと第２シート５２０ａとを解除可能に連結する線ファスナである。連結部５４０ａは、第１歯列５４１ａと、第２歯列５４２ａと、スライダー５４３ａとを有している。第１歯列５４１ａは、側面シート５１２ａの外面に設けられている。第２歯列５４２ａは、第２シート５２０ａの第１端５２１ａに設けられている。上記初期状態で、第１歯列５４１ａと第２歯列５４２ａとが略平行になる。スライダー５４３ａは第２歯列５４２ａにスライド自在に設けられている。第１歯列５４１ａと第２歯列５４２ａとが略平行な状態で、スライダー５４３ａ内に第１歯列５４１ａが挿入される。この状態で、スライダー５４３ａをスライドさせることによって、当該連結部５４０ａが閉開する（側面シート５１２ａと第２シート５２０ａの第１端５２１ａとを連結したり、当該連結を解除したりする。）。
【００６８】
連結部５４０ｂは上記初期状態で側面シート５１２ｂと第２シート５２０ｂとを解除可能に連結する線ファスナである。連結部５４０ｂは、第１歯列５４１ｂと、第２歯列５４２ｂと、スライダー５４３ｂとを有している。第１歯列５４１ｂは、側面シート５１２ｂの外面に設けられている。第２歯列５４２ｂは、第２シート５２０ｂの第１端５２１ｂに設けられている。上記初期状態で、第１歯列５４１ｂと第２歯列５４２ｂとが略平行になる。スライダー５４３ｂは第２歯列５４２ｂにスライド自在に設けられている。第１歯列５４１ｂと第２歯列５４２ｂとが略平行な状態で、スライダー５４３ｂ内に第１歯列５４１ｂが挿入される。この状態で、スライダー５４３ｂをスライドさせることによって、当該連結部５４０ｂが閉開する（側面シート５１２ｂと第２シート５２０ｂの第１端５２１ｂとを連結したり、当該連結を解除したりする。）。
【００６９】
以下、上記構成のテントＴ２の使用方法について詳しく説明する。連結部５４０ａのスライダー５４３ａを移動させて連結部５４０ａを開く。これにより、連結部５４０ａによる側面シート５１２ａと第２シート５２０ａの第１端５２１ａとの連結が解除される。同様に、連結部５４０ｂのスライダー５４３ｂを移動させて連結部５４０ｂを開く。これにより、連結部５４０ｂによる側面シート５１２ｂと第２シート５２０ｂの第１端５２１ｂとの連結が解除される。その後、第２シート５２０ａ、５２０ｂを引っ張って前方に移動させる。これに伴って、第２シート５２０ａ及びマチ部５３０ａが側面シート５１２ａから離れて前方に延び、マチ部５３０ａが展開されると共に、第２シート５２０ｂ及びマチ部５３０ｂが側面シート５１２ｂから離れて前方に延び、マチ部５３０ｂが展開される。このマチ部５３０ａ、第２シート５２０ａ、マチ部５３０ｂ及び第２シート５２０ｂがテントシート５１０の前で、庇として機能する。この庇が上記支持機構によって支持される。なお、第２シート５２０ａ及びマチ部５３０ａの上端と、第２シート５２０ｂ及びマチ部５３０ｂの上端とを固定部５５０で固定させても良い。
【００７０】
以下、テントＴ２の庇を収納する方法について詳しく説明する。まず、庇から支持機構及び／又は固定部５５０を取り外す。マチ部５３０ａを略半分に折り畳みつつ（マチ部５３０ａを初期状態にしつつ）、第２シート５２０ａの第１端５２１ａを側面シート５１２ａに沿わせる。すると、連結部５４０ａの第１歯列５４１ａと第２歯列５４２ａとが略平行になる。この状態で、スライダー５４３ａ内に第１歯列５４１ａを挿入する。その後、スライダー５４３ａを移動させて連結部５４０ａを閉じる。これにより、連結部５４０ａが第２シート５２０ａの第１端５２１ａと側面シート５１２ａとを連結する。これにより、側面シート５１２ａと第２シート５２０ａとが一連なりとなる。
【００７１】
同様に、マチ部５３０ｂを略半分に折り畳みつつ（マチ部５３０ｂを初期状態にしつつ）、第２シート５２０ｂの第１端５２１ｂを側面シート５１２ｂに沿わせる。すると、連結部５４０ｂの第１歯列５４１ｂと第２歯列５４２ｂとが略平行になる。この状態で、スライダー５４３ｂ内に第１歯列５４１ｂを挿入する。その後、スライダー５４３ｂを移動させて連結部５４０ｂを閉じる。これにより、連結部５４０ｂが第２シート５２０ｂの第１端５２１ｂと側面シート５１２ｂとを連結する。これにより、側面シート５１２ｂと第２シート５２０ｂとが一連なりとなる。マチ部５３０ａ、５３０ｂが折り畳まれて初期状態になると、第２シート５２０ａ、５２０ｂが側面シート５１２ａ、５１２ｂに各々沿う。
【００７２】
以上のようなテントＴ２は、以下の技術的特徴及び効果を有する。第１にテントＴ２の居住空間を容易に変化させる（居住空間を容易に拡張及び縮小させる）ことができる。側面シート５１２ａと第２シート５２０ａとの連結及び側面シート５１２ｂと第２シート５２０ｂとの連結を解除し、マチ部５３０ａ、５３０ｂを展開させることによって、マチ部５３０ａ、第２シート５２０ａ、マチ部５３０ｂ及び第２シート５２０ｂがテントシート５１０の前で、庇となる。当該庇によって日よけ、風除け及び／又は雨除けを行うことができるので、日よけ、風除け及び／又は雨除けされる空間（近傍空間）を、バーベキュー等を行うテントＴ２の居住空間として使用することができる。このようにテントＴ２の居住空間を拡張することができる。また、マチ部５３０ａを折り畳み、側面シート５１２ａと第２シート５２０ａとを連結すると共に、マチ部５３０ｂを折り畳み、側面シート５１２ｂと第２シート５２０ｂとを連結することによって、第２シート５２０ａ、５２０ｂが側面シート５１２ａ、５１２ｂに沿う。このようにテントＴ２の居住空間が縮小する。
【００７３】
第２に、テントＴ２の居住空間は、テントＴ２の内空間及びテントＴ２の近傍空間を使い分けることが可能になる。側面シート５１２ａ、マチ部５３０ａ、第２シート５２０ａ、側面シート５１２ｂ、マチ部５３０ｂ及び第２シート５２０ｂがテントシート５１０の前で、庇となったときに、テントシート５１０内をテントＴ２の内空間として使用でき、庇によって日よけ、風除け及び／又は雨除けされる空間がテントＴ２の近傍空間として使用できる。
【００７４】
なお、本発明のテントは、上記実施例に限定されるものではなく、特許請求の範囲の記載範囲において任意に設計変更することが可能である。以下、詳しく述べる。
【００７５】
本発明のアウターシートは、テントの外面を構成するシートであって、上記実施例又は下記の第１シート、第２シート、マチ部及び連結部を有する限り任意に設計変更することが可能である。例えば、アウターシートは、多角錘の側面形状を有する構成、円錐の側面形状を有する構成、三角柱の側面形状を有する構成やドーム形状を有する構成等に設計変更することが可能である。
【００７６】
本発明の第１シートは、少なくとも一つあれば良い。本発明の第１シートは、第１、第２斜辺を有する略三角形状、第１、第２端を有する矩形状、第１、第２端を有する台形状、又は第１、第２端を有する円弧状とすることが可能である。第２端は、第１端の反対側の辺である。
【００７７】
本発明の第２シートは、少なくとも一つあれば良い。本発明の第２シートは、第１、第２斜辺を有する略三角形状、第１、第２端を有する矩形状、第１、第２端を有する台形状、又は第１、第２端を有する円弧状とすることが可能である。第２端は、第１端の反対側の辺である。
【００７８】
本発明のマチ部は、少なくとも一つあれば良い。本発明のマチ部は、第１、第２斜辺を有する略三角形状、第１、第２端を有する矩形状、第１、第２端を有する台形状、又は第１、第２端を有する円弧状とすることが可能である。第２端は、第１端の反対側の辺である。
【００７９】
上記第１シートの第１斜辺と上記マチ部の第２斜辺とが接続され、上記第２シートの第２斜辺と上記マチ部の第１斜辺とが接続された構成とすることが可能である。この場合、第２シートの第２斜辺が第１シートに沿うようにマチ部が折り畳まれた状態で、第１シートと第２シートとが一連なりとなり、マチ部が展開された状態で、第１シート、マチ部及び第２シートが一連なりとなる構成とすると良い。例えば、第２シートの第２斜辺が第１シートの中央部に沿うようにマチ部が折り畳まれる構成とすることが可能である。この第２シートは、マチ部が折り畳まれた状態で、第１シートの中央部から略半分と一連なりとなる。
【００８０】
上記第１シートの第１端と上記マチ部の第２端とが接続され、上記第２シートの第２端と上記マチ部の第１端とが接続された構成とすることが可能である。この場合、第２シートが第１シートに沿うようにマチ部が折り畳まれた状態で、第１シート及び第２シートが一連なりとなり、マチ部が展開された状態で、第１シート、マチ部及び第２シートが一連なりとなる構成とすると良い。例えば、図５の上図に示されるように、第２シート５２０ａ’の第２端５２２ａ’が側面シート５１２ａ’（第１シート）の第１端５１２ａ１’に沿うようにマチ部５３０ａ’が折り畳まれた状態で、側面シート５１２ａ’と第２シート５２０ａ’とが一連なりとなり、図５の下図に示されるように、マチ部５３０ａ’が展開された状態で、側面シート５１２ａ’とマチ部５３０ａ’と第２シート５２０ａ’とが一連なりとなる構成とすることが可能である。側面シート、第２シート及びマチ部が一対である場合には、一方の側面シート５１２ａ’、第２シート５２０ａ’及びマチ部５３０ａ’だけでなく、他方の側面シート、第２シート及びマチ部も図５に示される構成とすることが可能である。なお、図５中の５３１ａ’は第２端５２２ａ’に接続されたマチ部５３０ａ’の第１端であり、５３２ａ’は第１端５１２ａ１’に接続されたマチ部５３０ａ’の第２端である。
【００８１】
本発明の連結部は、マチ部が折り畳まれた状態で、第１シートと第２シートとを解除可能に連結している限り任意に設計変更することが可能である。例えば、連結部が線ファスナである場合、図５の側面シート５１２ａ’（第１シート）の第１端５１２ａ１’に第１歯列が設けられ、第２シート５２０ａ’の第２端５２２ａ’に第２歯列が設けられた構成とすることが可能である。連結部は、上記他方の側面シートの第１片に第１歯列が設けられ、他方の第２シートの第２片に第２歯列が設けられた構成とすることが可能である。また、連結部は、第１、第２シートの何れか一方に設けられた第１面ファスナと、第１、第２シートの他方に設けられたベルト又は帯と、ベルトベルト又は帯に設けられており且つ第１面ファスナに係合可能な第２面ファスナとを有する構成とすることが可能である。第１、第２面ファスナに代えて、スナップボタンを用いることが可能である。また、第１、第２面ファスナの何れか一方が係合孔、他方が係合孔に係合可能な係合部に設計変更することが可能である。
【００８２】
なお、上記第１シートと上記マチ部とが一枚のシートで構成されていても良い。上記マチ部と上記第２シートとが一枚のシートで構成されていても良い。上記第１シートと上記マチ部と上記第２シートとが一枚のシートで構成されていても良い。
【００８３】
本発明の第３シートは省略可能である。本発明の第３シートは少なくとも一つあれば良い。第３シートは、略三角形状、略矩形状、台形状又は円弧状とすることができる。第３シートの第１斜辺又は第１端は上記した何れかの態様の一対の第２シートのうちの一方の第２シートの第１斜辺又は第１端に接続されており、第３シートの第２斜辺又は第２端は他方の第２シートの第１斜辺又は第１端に接続された構成とすることが可能である。第３シートは、マチ部が展開されるときに、上方又は前方に移動する構成とすることが可能である。例えば、図５の一方のマチ部５３０ａ’及び他方のマチ部が展開されるときに、一方の第２シート５２０ａ’の第２端５２２ａ’と他方の第２シートの第２端との間に設けられた第３シートが前方に移動する構成とすることが可能である。本発明の第３シートは複数とすることが可能である。この場合、複数の第３シートが互いに接続されている。複数の第３シートのうちの一方の端に位置する第３シートの第１斜辺又は第１端が、一方の第２シートの第１斜辺又は第１端に接続されており、他方の端に位置する第３シートの第２斜辺又は第２端が、一方の第２シートの第１斜辺又は第１端に接続された構成とすることが可能である。
【００８４】
本発明の第４シートは省略可能である。本発明の第４シートは少なくとも一つあれば良い。第４シートは、略三角形状、略矩形状、台形状又は円弧状とすることができる。第４シートの第１斜辺又は第１端は上記した何れかの態様の一対の第１シートのうちの一方の第１シートの第２斜辺又は第２端に接続されており、第４シートの第２斜辺又は第２端は他方の第１シートの第２斜辺又は第２端に接続された構成とすることが可能である。本発明の第４シートは複数とすることが可能である。この場合、複数の第４シートが互いに接続されている。複数の第４シートのうちの一方の端に位置する第４シートの第１斜辺又は第１端が、一方の第１シートの第２斜辺又は第２端に接続されており、他方の端に位置する第４シートの第２斜辺又は第２端が、一方の第１シートの第２斜辺又は第２端に接続された構成とすることが可能である。
【００８５】
本発明の第１係合部及び又は第２係合部も省略可能である。本発明の第１係合部は、上記した何れかの態様の第２シート及び第３シートの少なくとも一方に設けられており且つ開状態で、当該第１係合部に第２シート及び第３シートの少なくとも一方を支持可能な支持ポールが係合可能である限り任意に設計変更することが可能である。第１係合部としては、上記した何れかの態様の第２シート及び第３シートの少なくとも一方に設けられ係合孔や係合凹部等とすることも可能である。支持ポールは高さ調整できない構成とすることが可能である。
【００８６】
本発明のロープは省略可能である。本発明のロープは、上記した何れかの態様の第２シート及びマチ部の少なくとも一方から延びており、且つ開状態で、当該ロープの自由端が地面に固定可能である限り任意に設計変更することが可能である。
【００８７】
本発明のインナーシートは省略可能である。本発明のインナーシートは、上記した何れかの態様のアウターシートが被せられるものである限り任意に設計変更することが可能である。本発明のインナーシートの外形は、上記したアウターシートの形に応じて適宜変更すると良い。また、本発明のインナーシートは、底面シートを有していない構成とすることが可能である。
【００８８】
本発明の支持部は、少なくとも上記した何れかの態様のアウターシートを支持し得るものである限り任意に設計変更することが可能である。本発明のペグは、アンカー等で代用可能である。
【００８９】
なお、上記実施例及び設計変形例におけるテントの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００９０】
Ｔ１・・・・・・テント
１００・・・・アウターシート
１１０ａ・・第１シート
１１１ａ・第１斜辺
１１２ａ・第２斜辺
１１０ｂ・・第１シート
１１１ｂ・第１斜辺
１１２ｂ・第２斜辺
１２０ａ・・第２シート
１２１ａ・第１斜辺
１２２ａ・第２斜辺
１２０ｂ・・第２シート
１２１ｂ・第１斜辺
１２２ｂ・第２斜辺
１３０・・・第３シート
１４０・・・第４シート
１５０ａ・・マチ部
１５１ａ・第１斜辺
１５２ａ・第２斜辺
１５０ｂ・・マチ部
１５１ｂ・第１斜辺
１５２ｂ・第２斜辺
１６０ａ・・連結部
１６１ａ・第１歯列
１６２ａ・第２歯列
１６３ａ・スライダー
１６０ｂ・・連結部
１６１ｂ・第１歯列
１６２ｂ・第２歯列
１６３ｂ・スライダー
１７０・・・第１係合部
１８０・・・第２係合部
２００・・・・インナーシート
２１０・・・底面シート
２２０・・・側面シート
２３０・・・係合部
３００・・・・支持部
４００・・・・支持ポール
【図１Ａ】
2016044433.tif 000003
【図１Ｂ】
2016044433.tif 000004
【図１Ｃ】
2016044433.tif 000005
【図１Ｄ】
2016044433.tif 000006
【図２Ａ】
2016044433.tif 000007
【図２Ｂ】
2016044433.tif 000008
【図３Ａ】
2016044433.tif 000009
【図３Ｂ】
2016044433.tif 000010
【図４Ａ】
2016044433.tif 000011
【図４Ｂ】
2016044433.tif 000012
【図５】
2016044433.tif 000013
【手続補正書】
【提出日】平成27年2月26日(2015.2.26)
【手続補正１】
【補正対象書類名】明細書
【補正対象項目名】００１４
【補正方法】変更
【補正の内容】
【００１４】
このような態様の第１テントによる場合、第１係合部が支持ポールに係合されるだけで、開状態で、第２シート及び第３シートの少なくとも一方が支持ポールに支持される。
【手続補正２】
【補正対象書類名】明細書
【補正対象項目名】００１５
【補正方法】変更
【補正の内容】
【００１５】
上記第１テントは、開状態で、第２シート及び第３シートの少なくとも一方を支持する支持ポールを更に備えた構成とすることが可能である。
【手続補正３】
【補正対象書類名】明細書
【補正対象項目名】００１６
【補正方法】変更
【補正の内容】
【００１６】
支持ポールは高さ調整可能とすることが可能である。このような態様の第１テントによる場合、支持ポールの高さを変えることで、第２シート及び第３シートの少なくとも一方の高さ位置を変えることができる。
【手続補正４】
【補正対象書類名】明細書
【補正対象項目名】００１７
【補正方法】変更
【補正の内容】
【００１７】
上記した何れかの態様の第１テントは、第２シート及びマチ部の少なくとも一方から延びたロープを更に備えた構成とすることが可能である。開状態で、ロープの自由端が地面に固定可能である構成とすることが可能である。
【手続補正５】
【補正対象書類名】明細書
【補正対象項目名】００１８
【補正方法】変更
【補正の内容】
【００１８】
このような態様の第１テントによる場合、ロープの自由端を地面に固定するだけで、第２シートが日よけ及び／又は風除けとなった状態が維持可能となる。
【手続補正６】
【補正対象書類名】明細書
【補正対象項目名】００４０
【補正方法】変更
【補正の内容】
【００４０】
マチ部１５０ａは、図１Ｂに最も良く示されているように、第２シート１２０ａの第２斜辺１２２ａが第１シート１１０ａの第１斜辺１１１ａに沿うように、略半分（直角三角形状）に谷折り可能である。マチ部１５０ｂは、図１Ｃに最も良く示されているように、第２シート１２０ｂの第２斜辺１２２ｂが第１シート１１０ｂの第１斜辺１１１ｂに沿うように、略半分（直角三角形状）に谷折り可能である。このようにマチ部１５０ａ、１５０ｂが折り畳まれた状態で、第１シート１１０ａと第２シート１２０ａとが一連なりとなり且つ第１シート１１０ｂと第２シート１２０ｂとが一連なりとなる。第２シート１２０ａ、１２０ｂ及び第３シート１３０がインナーシート２００の側面シート２２０に沿う。マチ部１５０ａ、１５０ｂは、第２シート１２０ａ、１２０ｂとインナーシート２００との間に折り畳まれた状態で配置される。このような状態が、第２シート１２０ａ、１２０ｂ、第３シート１３０及びマチ部１５０ａ、１５０ｂの初期状態である。なお、第３シート１３０又は第４シート１４０には、インナーシート２００の出入口と通じる出入口が設けられていても良い。
【手続補正７】
【補正対象書類名】明細書
【補正対象項目名】００４５
【補正方法】変更
【補正の内容】
【００４５】
第１係合部１７０のうち、第３シート１３０の第１、第２斜辺１３１、１３２の下端に位置する第１係合部１７０（この第１係合部１７０が特許請求の範囲の第３シートの第１係合部に相当する。）は、上記開状態で、ペグに代えて、支持ポール４００が挿入される。これにより、第３シート１３０が地面に対して略平行な状態が維持される。第１係合部１７０のうち、第２シート１２０ａの第２斜辺１２２ａの下端に位置する第１係合部１７０（この第１係合部１７０が特許請求の範囲の第２シートの第１係合部に相当する。）及び第２シート１２０ｂの第２斜辺１２２ｂの下端に位置する第１係合部１７０（この第１係合部１７０が特許請求の範囲の第２シートの第１係合部に相当する。）は、上記開状態で、ペグに代えて、ロープ１９０の固定端が係合する。このロープ１９０の自由端がペグで地面に固定される。これにより、第１シート１１０ａとマチ部１５０ａと第２シート１２０ａとが一連なりとなった状態、及び第１シート１１０ｂとマチ部１５０ｂと第２シート１２０ｂとが一連なりとなった状態が維持される。
【手続補正８】
【補正対象書類名】明細書
【補正対象項目名】００５８
【補正方法】変更
【補正の内容】
【００５８】
テントシート５１０は、三角柱の底面、天面及び側面形状を有する防水シートである。テントシート５１０は、底面シート５１１と、一対の側面シート５１２ａ、５１２ｂ（特許請求の範囲のアウターシートの第１シートに相当）と、前面シート５１３と、図示しない後面シートとを有している。底面シート５１１は矩形状の防水シートである。側面シート５１２ａ、５１２ｂは矩形状の防水シートである。側面シート５１２ａの短手方向の第１端は、底面シート５１１の短手方向の第１端に接続されている。側面シート５１２ｂの短手方向の第１端は、底面シート５１１の短手方向の第２端に接続されている。側面シート５１２ａ、５１２ｂの短手方向の第２端同士が接続されている。前面シート５１３及び後面シートは、二等辺三角形状の防水シートであって、底辺及び二つの斜辺を有している。前面シート５１３の底辺は、底面シート５１１の長手方向の第１端に接続されている。後面シートの底辺は、底面シート５１１の長手方向の第２端に接続されている。前面シート５１３の斜辺は、側面シート５１２ａ、５１２ｂの長手方向の第１端に各々接続されている。後面シートの斜辺は、側面シート５１２ａ、５１２ｂの長手方向の第２端に各々接続されている。前面シート５１３には出入口が設けられている。
【手続補正９】
【補正対象書類名】明細書
【補正対象項目名】００８１
【補正方法】変更
【補正の内容】
【００８１】
本発明の連結部は、マチ部が折り畳まれた状態で、第１シートと第２シートとを解除可能に連結している限り任意に設計変更することが可能である。例えば、連結部が線ファスナである場合、図５の側面シート５１２ａ’（第１シート）の第１端５１２ａ１’に第１歯列が設けられ、第２シート５２０ａ’の第２端５２２ａ’に第２歯列が設けられた構成とすることが可能である。連結部は、上記他方の側面シートの第１端に第１歯列が設けられ、他方の第２シートの第２端に第２歯列が設けられた構成とすることが可能である。また、連結部は、第１、第２シートの何れか一方に設けられた第１面ファスナと、第１、第２シートの他方に設けられたベルト又は帯と、ベルト又は帯に設けられており且つ第１面ファスナに係合可能な第２面ファスナとを有する構成とすることが可能である。第１、第２面ファスナに代えて、スナップボタンを用いることが可能である。また、第１、第２面ファスナの何れか一方が係合孔、他方が係合孔に係合可能な係合部に設計変更することが可能である。
【手続補正１０】
【補正対象書類名】明細書
【補正対象項目名】００８３
【補正方法】変更
【補正の内容】
【００８３】
本発明の第３シートは省略可能である。本発明の第３シートは少なくとも一つあれば良い。第３シートは、略三角形状、略矩形状、台形状又は円弧状とすることができる。第３シートの第１斜辺又は第１端は上記した何れかの態様の一対の第２シートのうちの一方の第２シートの第１斜辺又は第１端に接続されており、第３シートの第２斜辺又は第２端は他方の第２シートの第１斜辺又は第１端に接続された構成とすることが可能である。第３シートは、マチ部が展開されるときに、上方又は前方に移動する構成とすることが可能である。例えば、図５の一方のマチ部５３０ａ’及び他方のマチ部が展開されるときに、一方の第２シート５２０ａ’の第１端５２１ａ’と他方の第２シートの第１端との間に設けられた第３シートが前方に移動する構成とすることが可能である。本発明の第３シートは複数とすることが可能である。この場合、複数の第３シートが互いに接続されている。複数の第３シートのうちの一方の端に位置する第３シートの第１斜辺又は第１端が、一方の第２シートの第１斜辺又は第１端に接続されており、他方の端に位置する第３シートの第２斜辺又は第２端が、一方の第２シートの第１斜辺又は第１端に接続された構成とすることが可能である。
【手続補正１１】
【補正対象書類名】明細書
【補正対象項目名】００８５
【補正方法】変更
【補正の内容】
【００８５】
本発明の第１係合部及び／又は第２係合部も省略可能である。本発明の第１係合部は、上記した何れかの態様の第２シート及び第３シートの少なくとも一方に設けられており且つ開状態で、当該第１係合部に第２シート及び第３シートの少なくとも一方を支持可能な支持ポールが係合可能である限り任意に設計変更することが可能である。第１係合部としては、上記した何れかの態様の第２シート及び第３シートの少なくとも一方に設けられ係合孔や係合凹部等とすることも可能である。支持ポールは高さ調整できない構成とすることが可能である。
【手続補正１２】
【補正対象書類名】図面
【補正対象項目名】図１Ｂ
【補正方法】変更
【補正の内容】
【図１Ｂ】
2016044433.tif 000014
【手続補正１３】
【補正対象書類名】図面
【補正対象項目名】図２Ｂ
【補正方法】変更
【補正の内容】
【図２Ｂ】
2016044433.tif 000015
【手続補正１４】
【補正対象書類名】図面
【補正対象項目名】図３Ａ
【補正方法】変更
【補正の内容】
【図３Ａ】
2016044433.tif 000016